【事件の表示】
　特許第３０７９９５９号「ディスク装置」の請求項１ないし４に係る特許に対する特許異議の申立てについて、次のとおり決定する。
【結　論】
　訂正を認める。
　特許第３０７９９５９号の請求項１ないし４に係る特許を維持する。
【理　由】
１ 手続の経緯
　本件特許第３０７９９５９号の請求項１〜４に係る発明についての出願は、平成７年７月２８日に出願され、平成１２年６月２３日にそれらの発明について特許の設定登録がなされ、その後、本件特許の請求項１〜４に係る発明について特許異議の申立てがなされ、さらに取消理由通知がなされ、その指定期間内である平成１３年７月２７日に訂正請求がなされたものである。
　　
２ 訂正の適否について
　(1) 訂正の内容
　 特許権者が求めている訂正の内容は、次のとおりである。
　 願書に添付した明細書の段落【００２１】及び【００２２】の「発明の効果」に関する記載において、「また、フレキシブルケーブルの第２の腕部は、シャーシの前方側に折り返されて、その端を上記移動体のうち後端部より所定距離前側の位置に接続して設けてあり移動体がディスク収容位置に移動したときに、フレキシブルケーブルの第２の腕部全体がシャーシの上面と移動体との間に位置する構成であるため、移動体がディスク収容位置に移動した状態で、フレキシブルケーブルが移動体より後方に出っ張ることがなくなり、よって、ディスク装置の前後方向の寸法を小型に出来る。」（本件特許公報第８欄１４〜２３行）、及び「、且つ、ディスク装置の前後方向の寸法を小型に出来」（同公報第８欄３９行）を削除する。
　　
　(2) 訂正の目的の適否、新規事項の有無及び拡張・変更の存否
　 上記訂正は、願書に最初に添付した明細書又は図面（以下、「出願当初の明細書等」という。）に記載された構成だけでは生じない効果について削除するものであるから、明りょうでない記載の釈明を目的とするものである。
　 そして、この訂正は、新規事項の追加に該当するものではなく、また実質上特許請求の範囲を拡張し、又は変更するものでもない。
　　
　(3) むすび
　 以上のとおり、上記訂正請求は、特許法第１２０条の４第２項、及び同条第３項において準用する第１２６条第２〜３項の規定に適合するものであるから、当該訂正を認める。
　　
３ 特許異議の申立てについて
　(1) 異議申立ての理由の概要
　 特許異議申立人の主張する異議申立ての理由は、大要次のとおりである。
　 ア 理　由 Ｉ
　　本件特許の請求項１〜４に係る発明は、その出願前に国内において頒布された甲第１〜４号証に記載された発明に基づいて、その出願前にその発明の属する技術の分野における通常の知識を有する者が容易に発明をすることができたものであり、特許法第２９条第２項の規定により特許を受けることができないものであるから、本件特許は、同法第１１３条第２号に該当し取り消されるべきものである。
　 イ 理　由 II
　　特許法第１７条の２第１項第３号の規定による明細書の補正（原審の平成１２年４月７日付け手続補正）は、出願当初の明細書等に記載した事項の範囲内においてなされておらず、同法第１７条の２第３項に規定する要件を満たしていないから、本件特許は、同法第１１３条第１号に該当し取り消されるべきものである。
　　
　(2) 当審の判断
　 ア 理由Ｉについて
　　(ア) 本件発明
　　 本件特許の請求項１〜４に係る発明(以下、それぞれ「本件発明１」〜「本件発明４」という。)は、上記訂正請求に係る訂正明細書の特許請求の範囲の請求項１〜４に記載された事項により特定される次のとおりのものと認める。
　　 「【請求項１】 シャーシと、
　　 ディスクが載置されるターンテーブルを有し、上記シャーシに移動可能に支持してあり、上記シャーシより前方に突き出たディスク交換位置と、上記シャーシ内のディスク収容位置との間で移動する移動体と、
　　 第１の腕部と第２の腕部とを有し、平面図上略Ｕ字形状を有し、該第１の腕部を、上記シャーシの上面に固定され、且つ、該第２の腕部を、上記シャーシの前方側に折り返されて、その端を上記移動体のうち後端部より所定距離前側の位置に接続して設けてあるフレキシブルケーブルとよりなり、
　　 上記移動体が上記ディスク収容位置に移動したときに、該フレキシブルケーブルの第２の腕部全体が上記シャーシの上面と上記移動体との間に位置する構成としたことを特徴とするディスク装置
　　 【請求項２】 上記シャーシは、ディスク装置の前側から見て左右方向上一方側の下面側に凹空間部を有する形状を有する構成としたことを特徴とする請求項１記載のディスク装置。
　　 【請求項３】 ディスクが載置されるターンテーブルを有し、上記シャーシより前方に突き出たディスク交換位置と、上記シャーシ内のディスク収容位置との間を移動可能に設けられた移動体を有するディスク装置において、
　　 上記移動体は、その片側を上記ディスクの一部がはみ出すように切り欠いた形状に形成してあり、
　　 上記シャーシは、上記収容位置に移動した上記移動体の下面側に対向する第１の底板部、及び、上記移動体の片側からはみ出したディスクの下面に対向する第２の底板部を備え、該第２の底板部の下方に空間を有する形状に形成してあり、
　　 第１の腕部と第２の腕部とを有し、平面図上略Ｕ字形状を有し、該第１の腕部を、上記シャーシの上記第１の底板部の上面に固定され、且つ、該第２の腕部は、上記シャーシの前方に折り返されて、その端が上記移動体に接続されて設けてあり、上記シャーシの上記第１の底板部と上記シャーシ内のディスク収容位置に位置する上記移動体との間に配置されたフレキシブルケーブルを有し、
　　 上記シャーシの上記第２の底板部の上面には、上記フレキシブルケーブルが固定されていない構成としたことを特徴とするディスク装置。
　　 【請求項４】 上記フレキシブルケーブルは、上記シャーシの前方側に折り返された上記第２の腕部の端を、上記移動体の後端部よりも所定距離前側に接続して設けてあり、上記移動体が上記ディスク収容位置に移動したときに、該第２の腕部全体が上記シャーシの上記第１の底板部の上面と上記移動体との間に位置するように構成としたことを特徴とする請求項３記載のディスク装置。」
　　(イ) 甲号証
　　 異議申立人が証拠として提示した甲第１〜４号証には、それぞれ次の事項が記載されている。（なお、〔 〕内には本件発明１〜４の対応する用語を示す。）
　　 ａ 甲第１号証 [特開平６−１５０５８０号公報]
　　　甲第１号証には、装置を大型化せずに、信号伝送用のケーブルに電気的ノイズが入ることを防げる「情報記録再生装置」に関する発明が記載されており、さらに図１〜２に示された第１実施例に関する記載をみれば、以下の発明が記載されている。
　　　「光ディスク〔ディスク〕を回転駆動するスピンドルモータ(11)を有するハウジング(1)と、
　　　前記ハウジング(1)に移動可能に支持され、光学ヘッドが搭載されたキャリッジ(5)と、
　　　前記キャリッジ(5)と前記ハウジング(1)との間に電力供給用フレキシブルケーブル(19)と信号伝送用フレキシブルケーブル(20)とを設けた情報記録再生装置〔ディスク装置〕であって、
　　　前記電力供給用フレキシブルケーブル(19)と信号伝送用フレキシブルケーブル(20)とを前記キャリッジ(5)の移動方向に分離して設置し、
　　　前記信号伝送用フレキシブルケーブル(20)は、キャリッジ(5)の移動方向に沿い、かつ光ディスクの記録面に対して垂直な面で略Ｕ字状に湾曲されると共に、この湾曲部(20b)の下側に続く端部(20d)は、前記ハウジングに設けたプリント基板(17)上に載置されて一部をコ字状(20c)にして前記プリント基板に接続した情報記録再生装置。」
　　 ｂ 甲第２号証 [特開平３−２７４７９３号公報]
　　　甲第２号証には、フレキシブル基板の無理な湾曲を無くすとともに、液晶ディスプレイの引き出し、収納移動時にフレキシブル基板を安定して湾曲、引き伸ばしができる「回路部材の接続装置」に関する発明が記載されており、さらに詳細にみれば、以下の発明が記載されている。
　　　「ケース(11)に配設した第１の回路基板と(31)、
　　　このケース(11)に対して引き出し又は収納可能に設けられたディスプレイ(17)に配設した第２の回路基板(41)と、
　　　前記ケース(11)と前記ディスプレイ(17)の間に介在してその双方に対して摺動可能に設けたスライダ(13)と、
　　　前記第１の回路基板と(31)と第２の回路基板(41)を電気的に接続する接続手段であって、コ字状〔略Ｕ字形状〕に形成され、一端(33a)を前記第１の回路基板(31)に、他端(33b)を前記第２の回路基板(41)に接続すると共に、中間部分(33c)を前記スライダ(13)に固定したフレキシブル基板〔フレキシブルケーブル〕(33)とを具備した回路部材の接続装置。」
　　　そして、甲第２号証に記載された発明において、「フレキシブル基板(33)」をさらに詳細にみれば、このフレキシブル基板(33)は、その一端(33a)を固定部材であるケース(11)に、その他端(33b)を一方の移動部材であるディスプレイ(17)に、またその中間部分(33c)を他方の移動部材であるスライダ(13)にそれぞれ固定されているものであって、前記スライダ(13)とディスプレイ(17)がケース(11)に収納された場合には、前記フレキシブル基板(33)はその両端部(33a,33b)と中間部分(33c)の間の２つの部分（本件発明１〜４の「第１及び第２の腕部」に相当する）においてそれぞれ湾曲するものである。
　　　してみれば、甲第２号証に記載された発明における「フレキシブル基板(33)」は、それの固定部材や移動部材に対する取付け位置や収納時の納まり方において、本件発明１〜４における「フレキシブルケーブル」とは明らかに異なるものである。
　　 ｃ 甲第３号証 [特開平５−３４２７３２号公報]
　　　甲第３号証には、その図１、図２及びそれらの説明をみれば、以下の発明が記載されている。
　　　「記録及び／又は再生装置本体(2)と、
　　　円盤状記録媒体〔ディスク〕(3)が載置されるターンテーブル(18)とこれを回転駆動するスピンドルモータ(M)を有し、前記装置本体(2)に移動可能に支持してあり、前記装置本体より前方に突き出た記録媒体交換位置と、前記装置本体内の記録媒体収容位置との間で移動するトレイ状の移送体〔移動体〕(4)と、
　　　前記スピンドルモータ(M)と前記装置本体(2)内に設けられるプリント基板とを接続するフレキシブルケーブル(19)とよりなり、
　　　前記移送体(4)が前記記録媒体収容位置に移動したときに、前記フレキシブルケーブル(19)の一部が前記装置本体(2)と前記移送体との間に位置する構成とした記録及び／又は再生装置〔ディスク装置〕。」
　　　そして、甲第３号証に記載された発明において、「フレキシブルケーブル(19)」をさらに詳細にみれば、このフレキシブルケーブル(19)は、その形状が明らかにされていないし、また装置本体(2)に対する取付け方、さらには移送体(4)が記録媒体収容位置に移動したとき、フレキシブルケーブル(19)が装置本体(2)や移送体(4)に対してどのような位置を占めるのかについて明らかにされていない。
　　 ｄ 甲第４号証 [実願平３−３３９７８号(実開平６−２６０４６号)のＣＤ-ＲＯＭ]
　　　「メカシャーシ(2)と、
　　　光ディスク〔ディスク〕(4)が載置され、前記メカシャーシ(2)に対して移動可能に支持され、光ディスク交換位置と光ディスク収容位置との間で移動するディスクトレイ(3)とを有する光ディスク記録再生装置〔ディスク装置〕において、
　　　前記ディスクトレイ(3)は、その幅を光ディスク(4)の直径より小さくすることにより、前記メカシャーシ(2)を小型化した光ディスク記録再生装置。」
　　(ウ) 対比・判断
　　 ａ 本件発明１及び２について
　　　本件発明１及び２と甲第１〜４号証に記載された発明とを対比すると、甲第１〜４号証に記載された発明は、本件発明１及び２を特定する事項の一部である次の(i)及び(ii)の構成を具備していない。
　　　(i) 第１の腕部と第２の腕部とを有し、平面図上略Ｕ字形状を有し、該第１の腕部を、シャーシの上面に固定され、且つ、該第２の腕部を、シャーシの前方側に折り返されて、その端を移動体のうち後端部より所定距離前側の位置に接続して設けてあるフレキシブルケーブル。
　　　(ii) 上記移動体がディスク収容位置に移動したときに、該フレキシブルケーブルの第２の腕部全体が上記シャーシの上面と上記移動体との間に位置する構成。
　　　そして、本件発明１及び２は、上記構成を具備することにより、訂正明細書に記載されたとおりの作用・効果を生じるものであるから、上記甲第１〜４号証に記載されたそれぞれの発明に基づいて、当業者が容易に発明をすることができたものであるとは云えない。
　　 ｂ 本件発明３及び４について
　　　本件発明３及び４と甲第１〜４号証に記載された発明とを対比すると、甲第１〜４号証に記載された発明は、本件発明３及び４を特定する事項の一部である次の(i)〜(iii)の構成を具備していない。
　　　(i) シャーシは、収容位置に移動した移動体の下面側に対向する第１の底板部、及び、上記移動体の片側からはみ出したディスクの下面に対向する第２の底板部を備え、該第２の底板部の下方に空間を有する形状に形成した構成。
　　　(ii) 第１の腕部と第２の腕部とを有し、平面図上略Ｕ字形状を有し、該第１の腕部を、上記シャーシの上記第１の底板部の上面に固定され、且つ、該第２の腕部は、上記シャーシの前方に折り返されて、その端が上記移動体に接続されて設けてあり、上記シャーシの上記第１の底板部と上記シャーシ内のディスク収容位置に位置する上記移動体との間に配置されたフレキシブルケーブル。
　　　(iii) 上記シャーシの上記第２の底板部の上面には、上記フレキシブルケーブルが固定されていない構成。
　　　そして、本件発明３及び４は、上記構成を具備することにより、訂正明細書に記載されたとおりの作用・効果を生じるものであるから、上記甲第１〜４号証に記載されたそれぞれの発明に基づいて、当業者が容易に発明をすることができたものであるとは云えない。
　 イ 理由IIについて
　　(ア) 原審の手続補正について
　　 原審において平成１２年４月７日付けでなされた手続補正は、【請求項１】を補正すると共に、【請求項３】及び【請求項４】を新たに追加し、さらに段落【０００８】及び【０００９】の【課題を解決するための手段】、並びに段落【００２１】及び【００２２】の【発明の効果】に関する事項をそれぞれ補正したものである。
　　 この手続補正により補正された明細書では、その請求項１,３,４及び段落【０００８】、【０００９】において、「移動体がディスク収容位置に移動したときの、フレキシブルケーブルの第２の腕部と、シャーシ及び移動体との位置関係」を特定し、且つその構成に対応する効果として「ディスク装置の前後方向の寸法を小型にできる」旨の記載が追加されている。
　　(イ) 当審の判断
　　 訂正請求により訂正された訂正明細書では、上記２において記載したとおり、原審での補正により効果として追加された「ディスク装置の前後方向の寸法を小型にできる」旨の記載が削除された。
　　 また、原審での補正により請求項１,３,４及び段落【０００８】、【０００９】に追加された事項については、訂正明細書では何ら訂正されていないが、これらの事項は、出願当初の明細書等の段落【００１６】及び【００１７】の記載、並びに図４,６〜８から明確に読み取ることができる事項である。
　　 そして、訂正明細書では、上記のとおり効果に関する事項が削除されているから、この効果に関する事項と、請求項１,３,４及び段落【０００８】、【０００９】において追加された事項とを併せて、明細書の補正に関する判断をすることはできない。
　　 してみれば、訂正明細書に記載された事項は、出願当初の明細書等に記載した事項の範囲内のものであるから、上記異議申立ての理由IIは採用することができない。
　　
　(3) むすび
　 以上のとおりであるから、特許異議申立ての理由及び証拠によっては、本件発明１〜４についての特許を取り消すことはできない。
　　
　なお、当審において通知した取消理由については、上記異議申立ての理由IIと同じであるから、上記３(2)イに記載したと同じ理由によって解消したものである。
　また、他に本件発明１〜４についての特許を取り消すべき理由を発見しない。
　よって、結論のとおり決定する。
【異議決定日】
平成１３年１０月１６日（２００１．１０．１６）
【訂正の要旨】
　訂正の要旨
１．発明の詳細な説明の欄の段落【００２１】において、「また、フレキシブルケーブルの第２の腕部は、シャーシの前方側に折り返されて、その端を上記移動体のうち後端部より所定距離前側の位置に接続して設けてあり移動体がディスク収容位置に移動したときに、フレキシブルケーブルの第２の腕部全体がシャーシの上面と移動体との間に位置する構成であるため、移動体がディスク収容位置に移動した状態で、フレキシブルケーブルが移動体より後方に出っ張ることがなくなり、よって、ディスク装置の前後方向の寸法を小型に出来る。」（本件特許公報第８欄１４〜２３行）を、明りょうでない記載の釈明を目的として削除する。
２．発明の詳細な説明の欄の段落【００２２】において、「、且つ、ディスク装置の前後方向の寸法を小型に出来」（同公報第８欄３９行）を、明りょうでない記載の釈明を目的として削除する。
（５４）【発明の名称】
ディスク装置
（５７）【特許請求の範囲】
　【請求項１】　シャーシと、
　ディスクが載置されるターンテーブルを有し、上記シャーシに移動可能に支持してあり、上記シャーシより前方に突き出たディスク交換位置と、上記シャーシ内のディスク収容位置との間で移動する移動体と、
　第１の腕部と第２の腕部とを有し、平面図上略Ｕ字形状を有し、該第１の腕部を、上記シャーシの上面に固定され、且つ、該第２の腕部を、上記シャーシの前方側に折り返されて、その端を上記移動体のうち後端部より所定距離前側の位置に接続して設けてあるフレキシブルケーブルとよりなり、
　上記移動体が上記ディスク収容位置に移動したときに、該フレキシブルケーブルの第２の腕部全体が上記シャーシの上面と上記移動体との間に位置する構成としたことを特徴とするディスク装置
　【請求項２】　上記シャーシは、ディスク装置の前側から見て左右方向上一方側の下面側に凹空間部を有する形状を有する構成としたことを特徴とする請求項１記載のディスク装置。
　【請求項３】　ディスクが載置されるターンテーブルを有し、上記シャーシより前方に突き出たディスク交換位置と、上記シャーシ内のディスク収容位置との間を移動可能に設けられた移動体を有するディスク装置において、
　上記移動体は、その片側を上記ディスクの一部がはみ出すように切り欠いた形状に形成してあり、
　上記シャーシは、上記収容位置に移動した上記移動体の下面側に対向する第１の底板部、及び、上記移動体の片側からはみ出したディスクの下面に対向する第２の底板部を備え、該第２の底板部の下方に空間を有する形状に形成してあり、
　第１の腕部と第２の腕部とを有し、平面図上略Ｕ字形状を有し、該第１の腕部を、上記シャーシの上記第１の底板部の上面に固定され、且つ、該第２の腕部は、上記シャーシの前方に折り返されて、その端が上記移動体に接続されて設けてあり、上記シャーシの上記第１の底板部と上記シャーシ内のディスク収容位置に位置する上記移動体との間に配置されたフレキシブルケーブルを有し、
　上記シャーシの上記第２の底板部の上面には、上記フレキシブルケーブルが固定されていない構成としたことを特徴とするディスク装置。
　【請求項４】　上記フレキシブルケーブルは、上記シャーシの前方側に折り返された上記第２の腕部の端を、上記移動体の後端部よりも所定距離前側に接続して設けてあり、上記移動体が上記ディスク収容位置に移動したときに、該第２の腕部全体が上記シャーシの上記第１の底板部の上面と上記移動体との間に位置するように構成としたことを特徴とする請求項３記載のディスク装置。
【発明の詳細な説明】
　【０００１】
　【発明の属する技術分野】
　本発明はディスク装置に係り、特に、小型のコンピュータ装置本体内に組込まれて使用されるＣＤ−ＲＯＭ装置に関する。
　【０００２】
　【従来の技術】
　図１０は、本出願人が先に、特願平６−４５５８２号等で出願したＣＤ−ＲＯＭ装置１０を示す。ＣＤ−ＲＯＭ装置１０は、大略、シャーシ１１と、移動体１２とより成る。移動体１２は、ＣＤ−ＲＯＭが載置されるターンテーブル１３、光ピックアップ装置１４等が組み込まれた構成を有する。移動体１２は、Ｙ１，Ｙ２方向上両側をガイドレール１５、１６に支持されて、シャーシ１１より前方に突き出たＣＤ−ＲＯＭ交換位置と、上記シャーシ１１内のＣＤ−ＲＯＭ収容位置との間で、Ｘ１，Ｘ２方向に移動可能である。
　【０００３】
　シャーシ１１と移動体１２との間は、図１１に示すフレキシブルケーブル２０によって電気的に接続してある。ここで、移動体１２には、ターンテーブル回転モータ、光ピックアップ装置１４等が組み込まれているため、フレキシブルケーブル２０には、例えば４３本もの多くの配線が形成してある。フレキシブルケーブル２０の一端２０ａ，２０ｂ，２０ｃが、シャーシ１１の奥部の回路基板２１に接続してあり、他端２０ｄ，２０ｅ，２０ｆが、移動体１２に接続してある。フレキシブルケーブル２０は、符号２０ｇで示す帯部が湾曲してあり、湾曲している部分２０ｈが、移動体１２の移動に伴って移る。
　【０００４】
　また、シャーシ１１は、ＣＤ−ＲＯＭ装置１０の前側から見て右方向側の下面側に凹空間部１７を有する形状を有する。この凹空間部１７は、ＣＤ−ＲＯＭ装置１０をコンピュータ装置に組み込んだときに、コンピュータ装置内に組み付けてある電気部品等を逃げるために、形成してある。よって、凹空間部１７は大きいことが望ましい。
　【０００５】
　【発明が解決しようとする課題】
　しかるに、従来のＣＤ−ＲＯＭ装置１０においては、フレキシブルケーブル２０の帯部２０ｇは、移動体１２の側面に沿っており、シャーシ１１に対して垂直である部分であり、その幅寸法Ｗ１は、移動体１２の高さ寸法Ｈ１より大きくは出来ない。一方、ＣＤ−ＲＯＭ装置１０の薄型化のため、移動体１２の高さ寸法Ｈ１は、小さく定めてある。よって、帯部２０ｇは、幅Ｗ１を狭く制限されており、幅Ｗ１内に例えば４３本もの多くの配線を形成することは出来ない。そこで、従来のフレキシブルケーブル２０は、例えば３枚のフレキシブルケーブル２０−１，２０−２，２０−３を重ね合わせた構成としてあり、コストが高いものとなっていた。
　【０００６】
　また、フレキシブルケーブル２０の帯部２０ｇが、移動体１２の側面側に存在するため、図９（Ｂ）に示すように、移動体１２の側面とガイドレール１５との間に、上記フレキシブルケーブル２０の帯部２０ｇを収容するためのスペース１８を必要とする。また、フレキシブルケーブル２０の帯部２０ｉがシャーシ１１の凹空間部１７の天板部１１ａ上に沿っている。このため、ターンテーブル１３に装着されたＣＤ−ＲＯＭ３０の下面側についてみると、所定のスペース１９は、ＣＤ−ＲＯＭ３０と上記の天板部１１ａ上の帯部２０ｉとの間に必要とされる。上記のスペース１８の存在により、ガイドレール１５はＹ２方向によって配され、且つ上記のスペース１９の存在により、張出部１１ａはＺ２方向によって配され、これによって、上記の凹空間部１７は狭くなる傾向にあった。
　【０００７】
　そこで、本発明は、上記課題を解決したディスク装置を提供することを目的とする。
　【０００８】
　【課題を解決するための手段】
　請求項１の発明は、シャーシと、
　ディスクが載置されるターンテーブルを有し、上記シャーシに移動可能に支持してあり、上記シャーシより前方に突き出たディスク交換位置と、上記シャーシ内のディスク収容位置との間で移動する移動体と、
　第１の腕部と第２の腕部とを有し、平面図上略Ｕ字形状を有し、該第１の腕部を、上記シャーシの上面に固定され、且つ、該第２の腕部を、上記シャーシの前方側に折り返されて、その端を上記移動体のうち後端部より所定距離前側の位置に接続して設けてあるフレキシブルケーブルとよりなり、
　上記移動体が上記ディスク収容位置に移動したときに、該フレキシブルケーブルの第２の腕部全体が上記シャーシの上面と上記移動体との間に位置する構成としたものである。
　【０００９】
　請求項２の発明は、上記シャーシは、ディスク装置の前側から見て左右方向上一方側の下面側に凹空間部を有する形状を有する構成としたものである。
　請求項３の発明は、ディスクが載置されるターンテーブルを有し、上記シャーシより前方に突き出たディスク交換位置と、上記シャーシ内のディスク収容位置との間を移動可能に設けられた移動体を有するディスク装置において、
　上記移動体は、その片側を上記ディスクの一部がはみ出すように切り欠いた形状に形成してあり、
　上記シャーシは、上記収容位置に移動した上記移動体の下面側に対向する第１の底板部、及び、上記移動体の片側からはみ出したディスクの下面に対向する第２の底板部を備え、該第２の底板部の下方に空間を有する形状に形成してあり、
　第１の腕部と第２の腕部とを有し、平面図上略Ｕ字形状を有し、該第１の腕部を、上記シャーシの上記第１の底板部の上面に固定され、且つ、該第２の腕部は、上記シャーシの前方に折り返されて、その端が上記移動体に接続されて設けてあり、上記シャーシの上記第１の底板部と上記シャーシ内のディスク収容位置に位置する上記移動体との間に配置されたフレキシブルケーブルを有し、
　上記シャーシの上記第２の底板部の上面には、上記フレキシブルケーブルが固定されていない構成としたものである。
　請求項４の発明は、上記フレキシブルケーブルは、上記シャーシの前方側に折り返された上記第２の腕部の端を、上記移動体の後端部よりも所定距離前側に接続して設けてあり、上記移動体が上記ディスク収容位置に移動したときに、該第２の腕部全体が上記シャーシの上記第１の底板部の上面と上記移動体との間に位置するように構成としたものである。
　【００１０】
　【発明の実施の形態】
　図１乃至図５は本発明の一実施例になるＣＤ−ＲＯＭ装置４０を示す。ＣＤ−ＲＯＭ装置４０は、大略、シャーシ４１と、移動体４２とより成る。
　移動体４２は、メカトレイと呼ばれるものであり、ＣＤ−ＲＯＭが載置されるターンテーブル４３、光ピックアップ４４、ターンテーブル用モータ４５、光ピックアップ移送機構４６を有し、下面に、第２の回路基板としての回路基板４７を有する。移動体４２は、Ｙ１，Ｙ２方向上両側をガイドレール４８、４９に支持されて、図３及び図４に示す、シャーシ４１より前方に突き出たＣＤ−ＲＯＭ交換位置Ｐ１と、上記シャーシ１１内に入り込んだＣＤ−ＲＯＭ収容位置Ｐ２との間で、Ｘ１，Ｘ２方向に移動可能である。
　【００１１】
　シャーシ４１のＸ２方向の奥部には、第１の回路基板としての回路基板５０がねじ止め固定してある。また、シャーシ４１は、図５に示すように、底板部５１ａと、Ｙ１側の一の側壁部５１ｂと、Ｙ２側の階段状部５１ｃとを有する。階段状部５１ｃは、底板部５１ａの端より立ち上がっている第１の側壁部５１ｃ−１と、第１の側壁部５１ｃ−１の上端よりＹ２方向に延在している板部５１ｃ−２と、板部５１ｃ−２の端より立ち上がっている第２の側壁部５１ｃ−３とよりなる。この階段状部５１ｃによって、シャーシ４１は、Ｙ２側の下面側に凹空間部５２を有する。この凹空間部５２は、ＣＤ−ＲＯＭ装置１０をコンピュータ装置に組み込んだときに、コンピュータ装置内に組み付けてある電気部品等を逃げるために、形成してある。板部５１ｃ−２は、凹空間部５２の天板部を構成する。ガイドレール４８、４９は、側壁部５１ｂ、第１の側壁部５１ｃ−１の内側に設けてある。
　【００１２】
　上記の回路基板５０と回路基板４７との間は、本発明の要部をなす、フレキシブルケーブル６０によって電気的に接続してある。フレキシブルケーブル６０は、図６に示すように、平面図上略Ｕ字形状を有し、共に直線状をなし隣接して平行に延在している第１の腕部６１及び第２の腕部６２と、これらを繋ぐ円弧部６３とを有する。ここで、フレキシブルケーブル６０は、後述するようにシャーシ４１の底板部５１ａ上に配設される関係上、第１の腕部６１、第２の腕部６２及び円弧部６３は、幅に関して、何らの制約もうけない。よって、第１の腕部６１、第２の腕部６２及び円弧部６３の幅Ｗ２は、従来の幅Ｗ１の約３倍の寸法、即ち、４３本の配線が一層に並べて配することが出来る寸法を有する。フレキシブルケーブル６０は、４３本の配線６４を一層構造で有する。よって、フレキシブルケーブル６０は、図１１のフレキシブルケーブル２０に比べて相当に安価である。
　【００１３】
　また、フレキシブルケーブル６０は、第１の腕部６１の端に端子部６５、第２の腕部６２の端に端子部６６を夫々有する。端子部６５には、補強板６７が接着してある。端子部６６には、補強板６８が接着してある。補強板６８は、端子部６６より大きく、端子部６６より第２の腕部６２上に張り出している規制板部６８ａを有する。規制板部６８ａは、後述するように、第２の腕部６２の湾曲部分が端子部６６に近づいたときに、湾曲部分が上方に盛り上がることを制限するように作用する。第１の腕部６１は、その長手方向上略等間隔に、孔付きのラグ６１−１，６１−２，６１−３を有する。
　【００１４】
　また、フレキシブルケーブル６０は、図７に併せて示すように、第１の腕部６１のうち符号６１ａで示す部分、即ち、ラグ６１−１とラグ６１−２との間の部分を、シャーシ４１の底板部５１ａ上に貼り付けて、Ｘ１，Ｘ２方向に延在させて設けてある。ここで、部分６１ａの貼り付け位置は、図４に示すように、孔付きのラグ６１−１，６１−２の孔を、シャーシ４１の裏側にあてがった治具のピンであって、底板部５１ａの孔５１ａ−１，５１ａ−２より突き出した位置決めピンに係合させることによって、一義的に定まる。
　【００１５】
　第１の腕部６１のうち符号６１ｂで示す部分、即ち、端子部６５寄りの部分は、図６中、線６９に沿って曲げられＹ２方向に延在し、ラグ６１−３の孔を同じく底板部５１ａの孔５１ａ−３より突き出した位置決めピンに係合されて位置決めされる。この部分６１ｂは、回路基板５０の下側に位置している。部分６１ｂの先端側は、図１に示すように、Ｙ１方向に折り返され、補強板６７が端子部６５と共に、回路基板５０の下面に実装してあるコネクタ７０に差し込まれて接続してある。
　【００１６】
　第２の腕部６２は、図１、図７に示すように、Ｘ１方向に湾曲して折り返され、先端の補強板６８が端子部６６と共に、回路基板４７の上面に実装してあるコネクタ７１差し込まれて接続してある。これにより、移動体４２とシャーシ４１とが、移動体４２が移動可能な状態で、電気的に接続してある。符号７２は、湾曲部である。
　【００１７】
　移動体４２がＣＤ−ＲＯＭ交換位置Ｐ１とＣＤ−ＲＯＭ収容位置Ｐ２との間を移動するとき、移動体４２は、フレキシブルケーブル６０の上側を覆うように移動する。移動体４２の移動に伴って、湾曲部７２が第２の腕部６２に沿ってＸ１，Ｘ２方向に順次移る。
　【００１８】
　移動体４２がＸ２方向に移動してＣＤ−ＲＯＭ収容位置Ｐ２に近づくと、湾曲部７２が相対的に移動体４２の規制板部６８ａに近づく。移動体４２がＣＤ−ＲＯＭ交換位置Ｐ１の近くに位置しているときには、湾曲部７２は移動体４２から遠い位置にあり、規制板部６８ａの規制を受けず、湾曲部７２は図３に示すように、上方向に大きく突き出ている。移動体４２がＸ２方向に移動してＣＤ−ＲＯＭ収容位置Ｐ２に近づき、湾曲部７２が相対的に移動体４２の規制板部６８ａに近づくと、図８（Ａ）に示すように、湾曲部７２は規制板部６８ａによる規制を受けて、上方向への突き出しを制限されて、偏平化される。これにより、移動体４２がＣＤ−ＲＯＭ収容位置Ｐ２に到ったときには、図８（Ｂ）に示すように、湾曲部７２は回路基板５０の下側に確実に入り込む。よって、回路基板５０を、Ｘ１方向により張り出して設けること、即ち、回路基板５０のＸ１，Ｘ２方向の幅寸法Ｗ３を大きくすることが可能となっている。また、上記規制板部６８ａは補強板６８の一部を利用したものであり、専用の部品ではないため、部品点数は増えていない。
　【００１９】
　また、フレキシブルケーブル６０は、シャーシ４１の底板部５１ａ上に貼り付けて設けてあるため、図９（Ｂ）中のスペース１８は不要となる。また、フレキシブルケーブル６０が、シャーシ４１の底板部５１ａ上に貼り付けて設けてあり、板部５１ｃ−２上にはフレキシブルケーブル６０が無いため、ターンテーブル４３に装着されたＣＤ−ＲＯＭ３０の下面側のスペース１９は、板部５１ｃ−２の上面側に確保すればよい。よって、図９（Ａ）に示すように、第１の側壁部５１ｃ−１は図９（Ｂ）よりＹ２方向に配され、板部５１ｃ−２は図９（Ｂ）よりＺ１方向に配され、凹空間部５２は、図９（Ｂ）の凹空間部１７より広い。
　【００２０】
　また、板部５１ｃ−２の上面のＸ２端側には、ＣＤ−ＲＯＭ装置４０の初期設定を行うためのストラップ装置８０が設けてある。
　また、本発明は、ＣＤ、光磁気ディスク等を媒体として使用する装置も含むものである。
　【００２１】
　【発明の効果】
　上述の如く、請求項１の発明によれば、シャーシと移動体とを、第１の腕部と第２の腕部とを有し、平面図上略Ｕ字形状を有するフレキシブルケーブルによって電気的に接続してなる構成であるため、従来の多層構造のフレキシブルケーブルによって電気的に接続してなる構成に比べて、製造コストを安価と出来
る。
　【００２２】
　請求項２の発明は、シャーシが、ディスク装置の前側から見て左右方向上一方側の下面側に凹空間部を有する形状を有する構成であり、第１の腕部と第２の腕部とを有し、平面図上略Ｕ字形状を有するフレキシブルケーブルを、第１の腕部を、シャーシの上面に固定させて、且つ、該第２の腕部を、上記シャーシの前方側に折り返えして設けた構成であるため、フレキシブルケーブルを移動体の側方に設けた構成にくらべて、上記凹空間部を広く出来る。
　請求項３の発明は、シャーシの第２の底板部の上面にはフレキシブルケーブルが固定されていない構成であるため、第２の底板部をディスクに近づけて高さ位置を従来よりも高くすることが出来、これによって、第２の底板部の下側の空間を広くすることが出来る。
　請求項４の発明によれば、ディスク装置のシャーシの第２の底板部の下側の空間を広くすることが出
来る。
【図面の簡単な説明】
　【図１】
　本発明の一実施例になるＣＤ−ＲＯＭ装置の分解斜視図である。
　【図２】
　本発明の一実施例になるＣＤ−ＲＯＭ装置の通常時の状態を示す斜視図である。
　【図３】
　図２のＣＤ−ＲＯＭ装置の移動体がＣＤ−ＲＯＭ交換位置にあるときの状態を示す斜視図である。
　【図４】
　図３に示す状態のＣＤ−ＲＯＭ装置の平面図図である。
　【図５】
　図２中、Ｖ−Ｖ線に沿う断面図である。
　【図６】
　図１中のフレキシブルケーブルを示す図である。
　【図７】
　フレキシブルケーブルの組み込み及び接続を示す図である。
　【図８】
　移動体がＣＤ−ＲＯＭ収容位置に到るときのフレキシブルケーブルの湾曲部の状態を説明するための図である。
　【図９】
　本実施例のＣＤ−ＲＯＭ装置の概略構成を、先願のＣＤ−ＲＯＭ装置と対応させて示す図である。
　【図１０】
　先願のＣＤ−ＲＯＭ装置の斜視図である。
　【図１１】
　図１０中のフレキシブルケーブルを示す図である。
　【符号の説明】
　３０　ＣＤ−ＲＯＭ
　４０　ＣＤ−ＲＯＭ装置
　４１　シャーシ
　４２　移動体
　４３　ターンテーブル
　４４　光ピックアップ
　４５　ターンテーブル用モータ
　４６　光ピックアップ移送機構
　４７　回路基板
　４８，４９　ガイドレール
　５０　回路基板
　５１ａ　底板部
　５１ａ−１〜５１ａ−３　孔
　５１ｂ　側壁部
　５１ｃ　階段状部
　５１ｃ−１　第１の側壁部
　５１ｃ−２　板部
　５１ｃ−３　第２の側壁部
　５２　凹空間部
　６０　フレキシブルケーブル
　６１　第１の腕部
　６１−１〜６１−３　孔付きのラグ
　６１ａ　貼り付けられる部分
　６１ｂ　端子部６５寄りの部分
　６２　第２の腕部
　６３　円弧部
　６４　配線
　６５、６６　端子部
　６７、６８　補強板
　６８ａ　規制板部
　６９　折り曲げ線
　７０、７１　コネクタ
　７２　湾曲部
　８０　ストラップ装置